(57)【要約】【課題】ユーザの不信感を低減することができる生体情報認証装置を提供する。【解決手段】スタートスイッチ装置１は、生体情報センサ２が読み取ったユーザの生体情報２３と予め登録された登録者の登録生体情報５０とによる生体認証において、当該生体認証以降の生体認証が不成立となる可能性が高いとして予め定められた条件が満たされた場合、ユーザに異なる生体情報２３の登録を促す通知を行う制御部５を備えて概略構成されている。【選択図】図４
2020024535.tif 000002
【特許請求の範囲】
【請求項１】
生体情報センサが読み取ったユーザの生体情報と予め登録された登録者の登録生体情報とによる生体認証において、当該生体認証以降の生体認証が不成立となる可能性が高いとして予め定められた条件が満たされた場合、前記ユーザに異なる生体情報の登録を促す通知を行う制御部を備えた生体情報認証装置。
【請求項２】
前記制御部は、生体認証に使用される認証しきい値と通知の実施を判定するための通知しきい値とを有し、前記生体情報と前記登録生体情報とを比較して得られた認証スコアが前記認証しきい値以上前記通知しきい値以下であるとする前記予め定められた条件が満たされた場合、前記ユーザに異なる生体情報の登録を促す通知を行う、
請求項１に記載の生体情報認証装置。
【請求項３】
前記制御部は、前記予め定められた条件が複数回満たされた場合、前記ユーザに異なる生体情報の登録を促す通知を行う、
請求項１又は２に記載の生体情報認証装置。
【発明の詳細な説明】
【技術分野】
【０００１】
本発明は、生体情報認証装置に関する。
【背景技術】
【０００２】
従来の技術として、駆動源の始動や停止を指令する始動スイッチと、駆動源を始動させる始動手段と、指紋を読み取る指紋センサと、指紋センサ、始動スイッチからの入力に基づいて始動手段の作動を制御する始動処理を実行する制御手段と、を備えた始動制御装置が知られている（例えば、特許文献１参照。）。
【０００３】
この始動制御装置の制御手段は、始動スイッチにより始動が指令されたときに、始動手段による始動を実行する前に、指紋センサが読み取った指紋と予め登録された登録指紋とによる指紋照合を行い、一致判定がなされると、利用者が正当な利用者であると認証して始動手段による始動を許可する。
【先行技術文献】
【特許文献】
【０００４】
【特許文献１】特開２００８−１７４０９５号公報
【発明の概要】
【発明が解決しようとする課題】
【０００５】
このような従来の始動制御装置の指紋センサは、例えば、怪我などの影響により、登録時に比べて指の状態が変化した場合、突然認証が成立しなくなり、ユーザが装置に対して不信感を抱く可能性がある。
【０００６】
従って本発明の目的は、ユーザの不信感を低減することができる生体情報認証装置を提供することにある。
【課題を解決するための手段】
【０００７】
本発明の一態様は、生体情報センサが読み取ったユーザの生体情報と予め登録された登録者の登録生体情報とによる生体認証において、当該生体認証以降の生体認証が不成立となる可能性が高いとして予め定められた条件が満たされた場合、ユーザに異なる生体情報の登録を促す通知を行う制御部を備えた生体情報認証装置を提供する。
【発明の効果】
【０００８】
本発明によれば、ユーザの不信感を低減することができる。
【図面の簡単な説明】
【０００９】
【図１】図１（ａ）は、実施の形態に係るスタートスイッチ装置の一例が配置された車両内の概略図であり、図１（ｂ）は、スタートスイッチ装置の一例を示す正面図である。
【図２】図２（ａ）は、実施の形態に係るスタートスイッチ装置のブロック図の一例であり、図２（ｂ）は、車両のブロック図の一例であり、図２（ｃ）は、生体情報センサが読み取った読取画像の一例を示す概略図である。
【図３】図３（ａ）は、実施の形態に係るスタートスイッチ装置の登録生体情報の一例を示す概略図であり、図３（ｂ）は、生体情報ごとの認証スコアの一例を示す概略図であり、図３（ｃ）は、メインモニタに表示される通知の一例を示す概略図である。
【図４】図４は、実施の形態に係るスタートスイッチ装置の動作の一例を示すフローチャートである。
【発明を実施するための形態】
【００１０】
（実施の形態の要約）
実施の形態に係る生体情報認証装置は、生体情報センサが読み取ったユーザの生体情報と予め登録された登録者の登録生体情報とによる生体認証において、当該生体認証以降の生体認証が不成立となる可能性が高いとして予め定められた条件が満たされた場合、ユーザに異なる生体情報の登録を促す通知を行う制御部を備えて概略構成されている。
【００１１】
この生体情報認証装置は、次回以降の生体認証が不成立となる可能性が高い場合、異なる生体情報の登録を促すことができるので、登録を促さない場合と比べて、突然生体認証が不成立となることを抑制し、ユーザの不信感を低減することができる。
【００１２】
[実施の形態]
（スタートスイッチ装置１の概要）
図１（ａ）は、実施の形態に係るスタートスイッチ装置の一例が配置された車両内の概略図であり、図１（ｂ）は、スタートスイッチ装置の一例を示す正面図である。図２（ａ）は、実施の形態に係るスタートスイッチ装置のブロック図の一例であり、図２（ｂ）は、車両のブロック図の一例であり、図２（ｃ）は、生体情報センサが読み取った読取画像の一例を示す概略図である。図３（ａ）は、実施の形態に係るスタートスイッチ装置の登録生体情報の一例を示す概略図であり、図３（ｂ）は、生体情報ごとの認証スコアの一例を示す概略図であり、図３（ｃ）は、メインモニタに表示される通知の一例を示す概略図である。
【００１３】
なお以下に記載する実施の形態に係る各図において、図形間の比率は、実際の比率とは異なる場合がある。また図２（ａ）及び図２（ｂ）では、主な信号や情報などの流れを矢印で示している。
【００１４】
生体情報認証装置としてのスタートスイッチ装置１は、例えば、図１（ａ）に示すように、運転席に着座するユーザの前方であってステアリング８４の周囲のパネル８０、運転席と助手席の間に位置するフロアコンソール８１、及びステアリング８４などに配置される。このスタートスイッチ装置１は、プッシュ操作（オン操作）により、車両８の駆動装置の始動、又は始動準備を車両８の車両制御部８８に指示し、その後になされたプッシュ操作（オフ操作）により、駆動装置の停止を指示することができる。
【００１５】
なお車両８の駆動装置の始動や車両８の電源遷移は、例えば、スタートスイッチ装置１から出力された指示信号Ｓ３と、シフト装置などの操作条件と、に基づいて車両制御部８８が判断するものとする。
【００１６】
具体的には、駆動装置が内燃機関（エンジン）である場合、シフト装置やブレーキ装置の操作条件が満足された状態でなされたプッシュ操作によりエンジンが始動する。また駆動装置がモータである場合、上記の操作条件が満足された状態でなされたプッシュ操作によりモータに電流を供給する始動準備が行われる。さらに駆動装置がエンジンとモータのハイブリッドである場合、上記の操作条件が満足された状態でなされたプッシュ操作により、始動時に優先される駆動装置に対応して始動又は始動準備が行われる。このオン操作の後に行われたオフ操作によって、駆動装置の停止が指示される。
【００１７】
またスタートスイッチ装置１は、一例として、操作条件としてブレーキ装置を作動させずにプッシュ操作が行われた場合、ＯＦＦ（電源をオフ）、ＡＣＣ（一部の電子機器が使用可能）、ＯＮ（全ての電子機器が使用可能）などの電源遷移を実行させるための指示信号Ｓ３を出力する。車両制御部８８は、例えば、当該指示信号Ｓ３と、上記の操作条件と、に基づいて電源を制御する。なお生体情報認証装置は、スタートスイッチ装置１に限定されず、例えば、ドアのロック及びアンロック時の認証、電子機器のログイン時の認証などに用いられても良い。
【００１８】
スタートスイッチ装置１は、例えば、図２（ａ）に示すように、生体情報センサ２が読み取ったユーザの生体情報２３と予め登録された登録者の登録生体情報５０とによる生体認証において、当該生体認証以降の生体認証が不成立となる可能性が高いとして予め定められた条件が満たされた場合、ユーザに異なる生体情報２３の登録を促す通知を行う制御部５を備えて概略構成されている。
【００１９】
この制御部５は、例えば、図２（ａ）、図３（ｂ）及び図３（ｃ）に示すように、生体認証に使用される認証しきい値Ｔｈ１と通知の実施を判定するための通知しきい値Ｔｈ２とを有し、生体情報２３と登録生体情報５０とを比較して得られた認証スコアが認証しきい値Ｔｈ１以上通知しきい値Ｔｈ２以下であるとする予め定められた条件が満たされた場合、ユーザに異なる生体情報２３の登録を促す通知を行うように概略構成されている。
【００２０】
なお変形例として制御部５は、認証しきい値Ｔｈ１を含む通知範囲を定め、認証スコアが通知範囲内である場合、ユーザに異なる生体情報２３の登録を促す通知を行うように構成されても良い。
【００２１】
またスタートスイッチ装置１は、例えば、図１（ｂ）に示すように、円筒形の本体１０と、操作ボタン１２と、を備えている。この操作ボタン１２は、本体１０の開口１０２に挿入されている。そしてスタートスイッチ装置１は、例えば、図２（ａ）に示すように、さらに生体情報センサ２と、登録スイッチ３と、スイッチ部４と、を備えている。
【００２２】
ここで車両８は、一例として、図２（ｂ）に示すように、メインモニタ８６と、サブモニタ８７と、車両制御部８８と、を備えて概略構成されている。
【００２３】
メインモニタ８６は、一例として、図１（ａ）に示すように、センターコンソール８２に配置されているがこれに限定されない。このメインモニタ８６は、例えば、液晶モニタであり、車両制御部８８から出力される表示信号Ｓ５に基づいて表示を行う。
【００２４】
サブモニタ８７は、一例として、図１（ａ）に示すように、運転席から見て正面のインストルメントパネル８３に配置されている。このサブモニタ８７は、例えば、液晶モニタであり、車両制御部８８から出力される表示信号Ｓ６に基づいて表示を行う。このサブモニタ８７は、例えば、インストルメントパネル８３に限定されず、ヘッドアップディスプレイなどのように他の場所に配置されても良い。
【００２５】
なお以下では、異なる生体情報２３の登録を促す通知に関するメッセージ画像８６１は、メインモニタ８６に表示されるものとするがこれに限定されず、サブモニタ８７に表示されても良いし、メインモニタ８６とサブモニタ８７に表示されても良い。さらに変形例として異なる生体情報２３の登録を促す通知は、例えば、音声で通知しても良く、メッセージ画像８６１と音声とを組み合わせて通知しても良い。また通知は、例えば、スタートスイッチ装置１が行うように構成されても良い。
【００２６】
車両制御部８８は、例えば、ＣＰＵ（Central Processing Unit）、半導体メモリであるＲＡＭ（Random Access Memory）及びＲＯＭ（Read Only Memory）などから構成されるマイクロコンピュータである。この車両制御部８８は、例えば、ＣＡＮ（Controller Area Network）やＬＩＮ（Local Interconnect Network）といった車両ＬＡＮ（Local Area Network）を介してスタートスイッチ装置１と電磁気的に接続されている。
【００２７】
（生体情報センサ２の構成）
生体情報センサ２は、例えば、図１（ｂ）に示すように、操作ボタン１２の操作面１２０に読取面２０が露出するように配置されている。
【００２８】
この生体情報センサ２は、例えば、図１（ｂ）及び図２（ｃ）に示すように、生体情報２３として操作指９の指紋を読み取るように構成されている。なお生体情報２３は、操作指９の指紋に限定されず、操作指９の静脈、手の平の静脈、目の虹彩、顔などの身体の一部の形状などでも良い。また生体情報センサ２は、例えば、虹彩などのように操作対象から離れていても生体情報２３を読み取ることが可能であれば、スタートスイッチ装置１に搭載されていなくても良い。
【００２９】
この生体情報センサ２は、例えば、指紋を読み取る場合、光学式、静電容量式、電界強度測定式、感圧式及び感熱式などの指紋を読み取るように構成されたセンサが用いられる。
【００３０】
また生体情報センサ２は、例えば、操作指９や手の平の静脈を読み取る場合、照射した近赤外線の反射に基づいて静脈を読み出すように構成されたセンサが用いられる。
【００３１】
また生体情報センサ２は、例えば、指紋と静脈の両方を読み取る場合、可視光を照射して撮像した画像を画像処理して指紋と静脈を抽出するように構成されたセンサが用いられる。
【００３２】
さらに生体情報センサ２は、例えば、虹彩を読み取る場合、赤外線を照射して撮像した画像を画像処理して虹彩を読み取るように構成されたセンサが用いられる。
【００３３】
またさらに生体情報センサ２は、例えば、顔などの身体の一部の形状を読み取る場合、撮像された対象に複数の計測点を設け、この計測点の深度に基づいて対象の凹凸形状を読み取るように構成されたセンサが用いられる。
【００３４】
本実施の形態の生体情報センサ２は、一例として、指紋を読み取る静電容量式のセンサである。この生体情報センサ２は、ユーザが操作ボタン１２にプッシュ操作を行うと、読取面２０に接触した操作指９から生体情報２３を読み取るように構成されている。なお読取面２０は、操作面１２０に露出せず、操作面１２０の下方に配置されても良い。
【００３５】
生体情報センサ２は、例えば、読取面２０の下方に、格子状に行と列に並ぶ複数の検出電極を備えている。この複数の検出電極は、一例として、数万から数十万個形成されると共に、数μｍから数十μｍの間隔で配置されている。
【００３６】
生体情報センサ２は、例えば、列を替えながら行に並ぶ検出電極の静電容量を読み出し、続いて行を替えて検出電極の静電容量を読み出すことを繰り返して全ての検出電極を走査するように構成されている。この走査の周期は、一例として、１００ｍｓ程度である。
【００３７】
生体情報センサ２は、例えば、走査して読み出した複数の静電容量に基づいて形成される読取画像２２を制御部５に出力する。この読取画像２２は、例えば、１周期分の静電容量に基づいて形成される。
【００３８】
具体的には、生体情報センサ２は、例えば、予め設けられたしきい値以上の静電容量を「１」、しきい値より低い静電容量を「０」に分けると共に、検出電極の位置と関連付けて読取画像２２を生成する。
【００３９】
図２（ｃ）に示す読取画像２２は、一例として、上述の「１」の検出電極の位置を黒、「０」の検出電極の位置を白としている。なお図中の丸は、後述する特徴点６の一部を示すために付したものである。
【００４０】
静電容量が高い位置は、指紋の山の位置であって検出電極までの距離が近いので、静電容量が高くなる。そして低い位置は、指紋の谷の位置であって検出電極までの距離が遠く、静電容量が低くなる。従って静電容量の高い位置を黒、低い位置を白とすると、一例として、図２（ｃ）に示すような読取画像２２が得られる。この読取画像２２において黒で示した画像は、読み取られた生体情報２３である。
【００４１】
なお制御部５は、例えば、読取面２０に対する操作指９の接触後に読み取られた複数の読取画像２２から特徴点６を抽出するのに適した読取画像２２を選択するように構成されても良いし、スイッチ部４がオンしたことをトリガとして読み取った読取画像２２を特徴点６の抽出に使用するように構成されても良い。
【００４２】
（登録スイッチ３の構成）
登録スイッチ３は、一例として、図１（ｂ）に示すように、本体１０に隣接して配置されている。登録スイッチ３は、例えば、物理スイッチでも良いし、静電容量方式のタッチスイッチであっても良い。本実施の形態の登録スイッチ３は、タッチスイッチとして構成されている。
【００４３】
登録者は、例えば、電子キーなどの携帯機による認証とスタートスイッチ装置１による生体認証が成立した後、この登録スイッチ３に対してタッチ操作を行うことにより、登録生体情報５０の登録モードを指示することができる。
【００４４】
登録モードは、新たに登録生体情報５０を登録することができるモードである。なおスタートスイッチ装置１は、例えば、登録スイッチ３が操作されていない場合、認証モードであるものとする。この認証モードは、生体認証を実行するモードである。
【００４５】
登録スイッチ３は、タッチ操作がなされると、モード信号Ｓ１を制御部５に出力する。制御部５は、例えば、モード信号Ｓ１が入力すると、生体情報センサ２から取得した生体情報２３に基づいて登録生体情報５０を生成して記憶する。
【００４６】
（スイッチ部４の構成）
スイッチ部４は、一例として、操作ボタン１２の操作面１２０とは反対側となる端部と接触するラバードームスイッチとして概略構成されている。このラバードームスイッチは、例えば、弾性力を生成すると共に可動接点を有するラバードームと、ラバードームが配置され、可動接点と対向する固定接点を有するスイッチ基板と、を備えている。
【００４７】
そしてプッシュ操作によって操作ボタン１２が本体１０に押し込まれると、ラバードームが変形して可動接点が固定接点と導通し、スイッチがオンしたことを示すスイッチ信号Ｓ２が制御部５に出力される。そしてスタートスイッチ装置１は、例えば、プッシュ操作が終了すると、ラバードームの弾性力によって操作ボタン１２が初期の位置に復帰するように構成されている。
【００４８】
（制御部５の構成）
制御部５は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部５が動作するためのプログラムが格納されている。ＲＡＭは、例えば、登録生体情報５０、認証しきい値Ｔｈ１、通知しきい値Ｔｈ２及び演算結果などを格納する記憶領域として用いられる。また制御部５は、その内部にクロック信号を生成する手段を有し、このクロック信号に基づいて動作を行う。
【００４９】
登録生体情報５０は、例えば、図３（ａ）に示すように、登録者名５０ａと、登録者ごとのテンプレート５０ｂと、を関連付けた情報である。登録者名５０ａは、例えば、電子キーや携帯機などに関連して付されても良いし、入力装置の操作によって付されても良く、これらに限定されない。
【００５０】
図３（ａ）に示す登録生体情報５０は、一例として、登録者Ａ〜登録者Ｃの生体情報２３（指紋）が登録されている。登録者Ａは、例えば、テンプレート５０ｂとして指紋Ａ１と指紋Ａ２を登録している。この指紋Ａ１と指紋Ａ２とは、例えば、登録者Ａの異なる指のテンプレート５０ｂである。また登録者Ｂは、例えば、テンプレート５０ｂとして指紋Ｂ１を登録している。さらに登録者Ｃは、例えば、テンプレート５０ｂとして指紋Ｃ１を登録している。
【００５１】
このテンプレート５０ｂとは、読み取った生体情報２３に基づいて作成されるものであり、主に特徴点６から構成される。なお生体情報２３を登録するとは、当該生体情報２３に基づいてテンプレート５０ｂを作成し、作成したテンプレート５０ｂを登録者名５０ａに関連付けて登録生体情報５０とすることである。以下では、この特徴点６について説明する。
【００５２】
制御部５は、例えば、読取画像２２に対して抽出処理を行って特徴点６を抽出する。この抽出処理は、例えば、隆線の抽出処理などである。
【００５３】
特徴点６とは、例えば、図２（ｃ）に示すように、中心点、分岐点、端点及び三角州などであるがこれに限定されない。中心点とは、指紋の中心となる点である。分岐点とは、指紋の隆線が分岐している点である。端点とは、隆線が切れている点である。三角州とは、三方向から隆線が集まった点である。
【００５４】
制御部５は、例えば、読取画像２２から特徴点６を抽出する。そして制御部５は、例えば、取得した登録生体情報５０と、特徴点６が抽出された生体情報２３と、を比較し、特徴点６の位置、特徴点６間の距離などに基づいて認証スコアとしての類似度を算出する。そして制御部５は、スイッチ部４がオンであり、かつ類似度が認証しきい値Ｔｈ１以上であった場合、生体情報２３の生体認証が成立したとして指示信号Ｓ３を出力する。
【００５５】
この認証しきい値Ｔｈ１は、一例として、５０％である。つまり制御部５は、例えば、認証に使用する生体情報２３の特徴点６の数が８０個である場合、４０個以上の特徴点６が登録生体情報５０の特徴点６と一致すれば、ユーザが登録者であると判定する。なお一致とは、特徴点６の位置、特徴点６間の距離などの一致を含んでいる。
【００５６】
なお生体認証は、例えば、特徴点６の類似度を用いた認証方法に限定されず、パターンマッチングなどの認証方法であっても良い。
【００５７】
ここで車両制御部８８は、例えば、取得した指示信号Ｓ３に基づいて生体認証が成立した登録者が登録した車載装置の設定を実行するように構成されても良い。例えば、車載装置がシートの駆動装置であった場合、登録者が登録したシート位置にシートを駆動する。また例えば、車載装置が空調装置であった場合、登録者が登録した設定温度、風量などの設定を行う。さらに例えば、車載装置がミラーの駆動装置であった場合、登録者が登録した位置にミラーを駆動する。なお電磁気的に接続とは、例えば、導電体を介した接続、電磁波の一種である光を介した接続、及び電磁波の一種である電波を介した接続の少なくとも１つを用いた接続である。
【００５８】
制御部５は、一例として、スイッチ部４から出力されたスイッチ信号Ｓ２をトリガとして読取面２０を走査するように生体情報センサ２を制御する。この場合、操作面１２０に対してプッシュ操作が行われているので、読取面２０に対する操作指９の接触面積がプッシュ操作前において操作面１２０にタッチしている場合より大きく、より多くの特徴点６の抽出が可能となる。
【００５９】
通知しきい値Ｔｈ２は、現在登録している指以外の指の登録をユーザに促す通知を行うか否かを判定するためのしきい値である。この通知しきい値Ｔｈ２は、例えば、図３（ｂ）に示すように、認証しきい値Ｔｈ１よりも高いしきい値として定められている。
【００６０】
認証しきい値Ｔｈ１が５０％である場合、通知しきい値Ｔｈ２は、一例として、８０％とするがこれに限定されない。
【００６１】
図３（ｂ）では、一例として、生体情報Ａ（認証スコア４５％）、生体情報Ｂ（認証スコア５５％）及び生体情報Ｃ（認証スコア９０％）が図示されている。本実施の形態の認証スコアは、類似度であるが生体認証の認証方法に依存するので、これに限定されない。
【００６２】
生体情報Ａは、認証スコアとしての類似度が認証しきい値Ｔｈ１より低いので生体認証が不成立となる。また生体情報Ｂ及び生体情報Ｃは、類似度が認証しきい値Ｔｈ１より高いので生体認証が成立する。特に生体情報Ｃは、類似度が認証しきい値Ｔｈ１よりもかなり高いので、次回以降の生体認証が成立する可能性が高い。
【００６３】
しかし生体情報Ｂは、類似度が認証しきい値Ｔｈ１より高いがその差が僅かであり、生体情報Ｂとして読み取られた指の状態が怪我などによる変化によって、次回以降の生体認証において類似度が認証しきい値Ｔｈ１を下回って突然不成立となる可能性が高い。
【００６４】
そこで本実施の形態の制御部５は、類似度が認証しきい値Ｔｈ１以上通知しきい値Ｔｈ２以下の範囲である場合、生体情報２３が読み取られた指と異なる指の登録を促す通知を行うため、通知信号Ｓ４を生成して出力する。
【００６５】
この通知信号Ｓ４は、例えば、車両ＬＡＮなどを介して車両制御部８８に入力する。車両制御部８８は、例えば、入力した通知信号Ｓ４に基づいてメインモニタ８６及びサブモニタ８７の少なくとも一方にメッセージ画像８６１を表示させる。
【００６６】
図３（ｃ）は、一例として、メインモニタ８６の表示画面８６０にメッセージ画像８６１を表示した場合を示している。このメッセージ画像８６１は、一例として、「別の指を登録してください。」であり、ユーザに別の指の登録を促すメッセージ画像である。
【００６７】
なお変形例として制御部５は、予め定められた条件が複数回満たされた場合、ユーザに異なる生体情報２３の登録を促す通知を行う。具体的には、制御部５は、同じ登録生体情報５０と比較されて得られた認証スコアが認証しきい値Ｔｈ１以上通知しきい値Ｔｈ２以下に複数回なった場合や連続して複数回なった場合に、ユーザに異なる生体情報２３の登録を促す通知を行うように構成されても良い。
【００６８】
以下に本実施の形態のスタートスイッチ装置１の動作の一例について図４のフローチャートに従って説明する。以下では、一例として、制御部５がプッシュ操作をトリガとして生体認証を行う場合について説明する。
【００６９】
（動作）
スタートスイッチ装置１の制御部５は、スイッチ部４から出力されるスイッチ信号Ｓ２を監視し、ステップ１の「Ｙｅｓ」が成り立つ、つまりスイッチ信号Ｓ２に基づいてプッシュ操作がなされたと判定すると（Ｓｔｅｐ１：Ｙｅｓ）、生体情報センサ２を制御して生体情報２３を取得し、生体認証を開始する（Ｓｔｅｐ２）。
【００７０】
制御部５は、読み取ったユーザの生体情報２３と登録生体情報５０とを比較し、認証スコアが認証しきい値Ｔｈ１以上となって生体認証が成立した場合（Ｓｔｅｐ３：Ｙｅｓ）、認証スコアが認証しきい値Ｔｈ１以上通知しきい値Ｔｈ２以下であるか確認する。
【００７１】
制御部５は、認証スコアが認証しきい値Ｔｈ１以上通知しきい値Ｔｈ２以下である場合（Ｓｔｅｐ４：Ｙｅｓ）、別の指の登録を促す通知を行うため、通知信号Ｓ４を出力する（Ｓｔｅｐ５）。また制御部５は、プッシュ操作が判定されると共に生体認証が成立したことにより、指示信号Ｓ３を出力（Ｓｔｅｐ６）し、処理を終了する。
【００７２】
車両制御部８８は、通知信号Ｓ４に基づいてメインモニタ８６を制御する表示信号Ｓ５を出力し、表示画面８６０にメッセージ画像８６１を表示させて別の指の登録を促す通知を行う。また車両制御部８８は、指示信号Ｓ３に基づいて駆動装置の始動や電源遷移を行う。
【００７３】
ここでステップ３において制御部５は、生体認証が成立しなかった場合（Ｓｔｅｐ３：Ｎｏ）、ステップ１に処理を進める。
【００７４】
またステップ４において制御部５は、認証スコアが通知しきい値Ｔｈ２より高い場合（Ｓｔｅｐ４：Ｎｏ）、ステップ６に処理を進めて指示信号Ｓ３を出力する。
【００７５】
（実施の形態の効果）
本実施の形態に係るスタートスイッチ装置１は、ユーザの不信感を低減することができる。具体的には、スタートスイッチ装置１は、認証スコアが認証しきい値Ｔｈ１以上通知しきい値Ｔｈ２以下となって次回以降の生体認証が不成立となる可能性が高い場合、異なる生体情報の登録を促すことができるので、登録を促さない場合と比べて、突然生体認証が不成立となることを抑制し、ユーザの不信感を低減することができる。
【００７６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７７】
１…スタートスイッチ装置、２…生体情報センサ、３…登録スイッチ、４…スイッチ部、５…制御部、６…特徴点、８…車両、９…操作指、１０…本体、１２…操作ボタン、２０…読取面、２２…読取画像、２３…生体情報、４５…認証スコア、５０…登録生体情報、５０ａ…登録者名、５０ｂ…テンプレート、５５…認証スコア、８０…パネル、８１…フロアコンソール、８２…センターコンソール、８３…インストルメントパネル、８４…ステアリング、８６…メインモニタ、８７…サブモニタ、８８…車両制御部、９０…認証スコア、１０２…開口、１２０…操作面、８６０…表示画面、８６１…メッセージ画像、Ｔｈ１…認証しきい値、Ｔｈ２…通知しきい値
【図１】
2020024535.tif 000003
【図２】
2020024535.tif 000004
【図３】
2020024535.tif 000005
【図４】
2020024535.tif 000006